(57)【要約】【課題】画像読み取り装置の原稿走査方向の画像歪みを修正可能とし、原稿に対して光を照射する装置の駆動系に安価なものが使用でき、装置全体のコストを低減させ得るようにする。【解決手段】コンタクトガラス１の両縁部またはその近傍にスケール２の下で等間隔線３を設ける。コンタクトガラス１上の原稿に照射した光の反射光を受光して得たデータを記憶し、データの像領域から原稿像と等間隔線３の像とを分離し、時間軸毎に等間隔幅の線と原稿像を対比可能とする。登録しておいた等間隔線３の微小誤差分と読み取った等間隔線３の差分をおのおのの時間軸において算出し、時間軸毎の線間の変動推移量を基準線間幅で除算して走査変更率を求め、これを元に原稿画像のデータに対し時間軸方向に圧縮伸長処理を行い、走査方向のバラツキを相殺し、等倍の画像データを得る。【選択図】        図２
2004173184.tif 000002
【特許請求の範囲】
【請求項１】
コンタクトガラスに原稿を押しつけ、該原稿の画像面に照射装置から光を照射して走査し、該光の反射光を受光手段にて受けて出力を得る画像読み取装置において、上記コンタクトガラスに複数本の線を等間隔に形成し、上記原稿の走査時に原稿画像と同時に受光した上記等間隔線の出力から上記照射装置の走査変動を検出し、該検出値から上記原稿の走査方向の画像歪みを修正する手段を有することを特徴とする画像読み取り装置。
【請求項２】
請求項１の画像読み取り装置において、上記コンタクトガラス端部を覆う原稿案内板を有し、該案内板と上記コンタクトガラスの重なる部分に上記等間隔線を上記照射装置の走査方向に対して平行にかつ上記コンタクトガラスの両縁部またはその近傍に配置してなることを特徴とする画像読み取り装置。
【請求項３】
請求項１または２の画像形成装置において、上記等間隔線の間隔に誤差がある場合と誤差がない場合の線間距離を専用記憶手段内に格納し、上記走査時に得られた等間隔線の間隔値との差分を得ることで上記原稿走査時の走査変動を算出して上記走査時の画像歪みを修正することを特徴とする画像読み取装置。
【発明の詳細な説明】
【０００１】
【発明の属する技術分野】
本発明は、複写機、スキャナ等の不特定の原稿を走査して画像出力を得る画像読み取装置に関する。
【０００２】
【従来の技術】
画像読み取装置は一般に、原稿を読み込む上で一定速度で原稿を走査する必要がある。そのために駆動機構に慣性重量を付加する必要がある。また同時に、即応性のために短時間で規定速度までたち上げる必要もある。そのため駆動モータには負荷トルクが大きく、かつ高精度回転が可能なものが要求され、コストの低減が難しかった。
【０００３】
【発明が解決しようとする課題】
本発明は、これら従来の諸問題の解決した安価でかつ精度を修正可能な画像読み取装置を提供することを目的とする。
【０００４】
【課題を解決するための手段】
本発明の請求項１に係る画像読み取り装置は、上記目的を達成するために、コンタクトガラスに原稿を押しつけ、該原稿の画像面に照射装置から光を照射して走査し、該光の反射光を受光手段にて受けて出力を得る画像読み取装置において、上記コンタクトガラスに複数本の線を等間隔に形成し、上記原稿の走査時に原稿画像と同時に受光した上記等間隔線の出力から上記照射装置の走査変動を検出し、該検出値から上記原稿の走査方向の画像歪みを修正する手段を有することを特徴とする。
【０００５】
同請求項２に係るものは、上記目的を達成するために、請求項１の画像読み取り装置において、上記コンタクトガラス端部を覆う原稿案内板を有し、該案内板と上記コンタクトガラスの重なる部分に上記等間隔線を上記照射装置の走査方向に対して平行にかつ上記コンタクトガラスの両端部に配置してなることを特徴とする。
【０００６】
同請求項３に係るものは、上記目的を達成するために、請求項１または２の画像形成装置において、上記等間隔線の間隔に誤差がある場合と誤差がない場合の線間距離を専用記憶手段内に格納し、上記走査時に得られた等間隔線の間隔値との差分を得ることで上記原稿走査時の走査変動を算出して上記走査時の画像歪みを修正することを特徴とする。
【０００７】
【発明の実施の形態】
以下本発明の実施の形態を図面を参照して説明する。
図１は本発明に係る画像読み取り装置の一実施形態を示す要部断面図、図２は同平面図であり、図中１はコンタクトガラス、２はスケール、３は複数本の線からなる等間隔線、４は光源、５は原稿、６はレンズ、７は受光手段である。図２から分るように、等間隔線３はスケール２の下でコンタクトガラス１の両縁部またはその近傍に配置してある。また等間隔線３はスケール２の下に設けてある。
【０００８】
本実施形態装置において、コンタクトガラス１上に置いた原稿５の原稿面（下面）に対し照射した光源４からの光の反射光は、レンズ６を介し受光手段７にて検知する。受光手段７で検知した光は、所定のデータ変換後に原稿５の画像データとして図示しない記憶手段にいったん保管し、データの像領域から原稿像と等間隔線３の像とを分離させ、別の専用の記憶手段に走査時間とともに格納する。このとき、光源４からの光は原稿５の反射光を作るとともに、等間隔線３の反射光も同時に受光手段７で記録することになる。
【０００９】
なお、上述のように等間隔線３がスケール２の下に配置してあるため、原稿像とは重ならず、各々独立した画像として処理することができる
【００１０】
上述のような走査によって得た画像は、時間軸毎に等間隔幅の線と原稿像が対比できるようになる。このデータより、あらかじめ登録しておいた等間隔線３の微小誤差分と読み取った等間隔線３の差分をおのおのの時間軸において算出し、時間軸毎の線間の変動推移量を基準線間幅で除算すれば、走査変更率が求められる。そこで、これを元に原稿画像のデータに対し時間軸方向に圧縮伸長処理を行うことで走査方向のバラツキを相殺し、等倍の画像データが得られる。また、コンタクトガラス１の両側縁に等間隔線３を配置しているため、光源４の斜行による変動も修正できる。したがって、走査速度、精度が不均一な駆動手段を備えていても、正確な画像データを得られる。
【００１１】
【発明の効果】
請求項１に係る画像読み取り装置は、以上説明してきたように、コンタクトガラスに等間隔に設けた複数の線を、原稿走査時に原稿画像と同時に受光手段に取り込み、照射装置の走査変動を検出し、原稿の走査方向の画像歪みを修正することを可能とし、照射装置の駆動系に安価なものが使用でき、したがって装置全体のコストを低減させ得るようになるという効果がある。
【００１２】
請求項２に係る画像読み取り装置は、以上説明してきたように、コンタクトガラス端部を覆う原稿案内板とコンタクトガラスの重なる部分に等間隔線を照射装置の走査方向に対して平行にかつコンタクトガラスの両縁部またはその近傍に配置するため、上記共通の効果に加え、走査方向の両端の走査変動を検出でき、そのため照射装置の斜行による変動を修正でき、修正精度を高めることができるという効果がある。
【００１３】
請求項３の画像形成装置においては、以上説明してきたように、あらかじめコンタクトガラスにプリントした等間隔線の幅の誤差と誤差がないのときの線間距離を専用に設けた記憶手段内に格納し、走査時に得られた等間隔線の値との差分を得て原稿走査時の走査変動を算出することで走査時の画像歪みを修正するため、上記共通の効果に加え、走査速度の絶対値が異なっていても正確な画像寸法で原稿画像を得ることができるという効果がある。
【図面の簡単な説明】
【図１】本発明に係る画像読み取り装置の一実施形態を示す要部断面図である。
【図２】同平面図である。
【符号の説明】
１  コンタクトガラス
２  スケール
３  等間隔線
４  光源
５  原稿
６  レンズ
７  受光手段
【図１】
2004173184.tif 000003
【図２】
2004173184.tif 000004